【事件の表示】
　特願２００５−２６１１８６「メディア再生装置及びメディア再生方法」拒絶査定不服審判事件〔平成１９年　３月２２日出願公開、特開２００７−　７３１５７〕について、次のとおり審決する。
【結　論】
　本件審判の請求は、成り立たない。
【理　由】
１．手続の経緯
　本願は、平成１７年９月８日の出願であって、平成２１年６月２日付けの拒絶理由通知に応答して、平成２１年７月３１日付けで手続補正がなされたが、平成２１年８月２６日付けで拒絶査定がなされ、これに対して、平成２１年１１月９日に拒絶査定不服審判が請求されるとともに、同日付けで手続補正がなされたものである。
　平成２２年１２月２１日付けで当審より前置報告（特許法第１６４条第３項）を利用した審尋がなされ、平成２３年３月７日付けで回答書が提出された。
　そして、当審から平成２３年４月２０日付けで拒絶理由が通知され、平成２３年６月２７日付けで手続補正書が提出されたものである。
　
２．本願発明
本願請求項１−７のうち請求項１に係る発明は、平成２３年６月２７日付けで手続補正された特許請求の範囲の請求項１に記載された次のとおりのものと認める。（以下、「本願発明」という。）
「【請求項１】
　メディアを再生するメディア再生装置であって、
　電位信号の電位に対応する情報とメディアの再生制御の内容とを対応付けた管理テーブル情報を記憶する記憶手段と、
　前記メディアの再生制御を行うとともに、当該メディア再生装置が一定時間操作されない状態で休止状態へ移行する制御部と、
　
前記制御部が前記休止状態にあるときに、
記休
前記制御部へ
を備え、
　
は、
、
受け
する
、前記変化があったその時の前記電位信号の電位に対応する情報と、前記記憶手段に記憶された前記管理テーブル情報とを比較した
ための処理
実行する、
　
　
３．引用例発明
１）引用例１
これに対して、当審の拒絶の理由に引用された、本願の出願日前である平成１１年４月３０日に頒布された「特開平１１−１１９８９３号公報」（以下、「引用例１」という。）には、図面とともに次の事項が記載されている。
　
（１）「【００１３】１．再生装置及びヘッドホンリモコンの外観例
図１は本例の携帯用のコンパクトカセットテーププレーヤとしての再生装置１及びその再生装置１に接続されるヘッドホンリモコン２０の外観例を示すものである。
【００１４】また
再生装置１には操作部４として示す各種操作キーが配されている。これらの操作キーにより、再生、停止、ＦＦ（早送り）、ＲＥＷ（巻戻し）、ＦＦ−ＡＭＳ（早送り頭出しサーチ）、ＲＥＷ−ＡＭＳ（巻き戻し頭出しサーチ）などの操作が可能とされる。
【００１５】なお、プレイモードとして、ブランクスキップとは、テープの無音部分が続くときに、その部分を早送りして有音部分を探すモードである。シャットオフ／エンドレスモードとは、テープ再生をエンドレスで行うか否かのモードであり、シャットオフ（つまりエンドレスモードオフ）の場合は、例えばＡ面から再生を初めてテープエンドでＢ面の再生に移り、Ｂ面のテープエンドに達した時点で再生終了とする。一方エンドレスモードとはＡ面、Ｂ面をエンドレスで順次繰り返して再生する。リピートプレイとは、そのリピートプレイがオンとされた時点で再生されている曲を繰り返して再生するモードである。またサウンドモードとして、リバイブとは高域を強調するモード、メガベースは低域をやや強調するモード、グルーブは低域を強調するモードである。
【００１６】この携帯用の再生装置１には、表示機能及びリモートコマンダー機能を有するヘッドホンとしてヘッドホンリモコン２０が接続され、ユーザーが再生音声を聞くことができるようにされている。ヘッドホンリモコン２０はコネクタ部２１が再生装置１の端子部５に装着されて接続される。そしてそのコネクタ部２１を介して再生音声がヘッドホン２２に供給される。
【００１７】またこのヘッドホンリモコン２０は表示及びリモートコマンダー部３０（以下、表示／リモコン部）を有し、この表示／リモコン部３０には液晶パネル等による小型の表示部３５や各種操作子が形成されている。操作子としては、後述するように再生、停止、ＦＦ、ＲＥＷ、ＦＦ−ＡＭＳ、ＲＥＷ−ＡＭＳなどの基本操作機能を有するとともにモード設定のための操作機能を有することになるプッシュレバースイッチ３１が設けられる。またモード設定のためのメニュー状態に切り換えるためのメニュースイッチ３２及びキー操作を無効化することで誤動作を防ぐホールドスイッチ３３が、それぞれスライドスイッチ形態で設けられる。また再生出力音量調整のためにボリュームつまみ３４が設けられる。」
（２）「【００２２】
電源回路１９は、内部バッテリーによる直流電源からＤＣ−ＤＣコンバータ処理を行って各部に必要な動作電源電圧の供給を行う。また再生装置１が電源オフとされる停止時であっても、コントローラ１１に対して微弱なスリープ電源電圧を供給している。
【００２３】
コントローラ１１は、ＣＰＵ、プログラムＲＯＭ、ワークＲＡＭ、インターフェース部等を備えたマイクロコンピュータとされ、ユーザーの操作に応じて再生装置１の全体の動作制御を行う。
【００２４】また、
表示／リモコン部３０からの操作情報信号ＳＳは操作情報端子ｔＳＳを介して入力される。この表示／リモコン部３０からの操作情報信号ＳＳ、及び操作部４からの操作情報信号ＳＳは、コントローラ１１に入力され、コントローラ１１はこれらの操作情報信号ＳＳに応じて各種動作制御を行うことになる。またこれらの操作情報信号ＳＳはウエイクアップ信号ともなる。つまりコントローラ１１は、電源オフ中（スタンバイ中）でも電源回路１９からのスタンバイ電源電圧によりスリープ状態としてウエイクアップ入力の確認は行っており、表示／リモコン部３０もしくは操作部４による何らかの操作があった場合は、ウエイクアップ入力があったとして電源オンとする。つまり電源回路１９による各部に対する動作電源電圧の供給を開始させる。
（３）「【００２６】３．ヘッドホンリモコンの構成
ヘッドホンリモコン２０の構成は例えば図３のようになる。ヘッドホンリモコン２０の表示／リモコン部３０には、操作子として上述のようにプッシュレバースイッチ３２、メニュースイッチ３２、ホールドスイッチ３３、ボリュームつまみ３４が設けられる。また、ヘッドホンリモコン２０のコネクタ部２１には再生装置１の端子部５に対応して、ヘッドホン端子ｔＨＰ、電源端子ｔＶ、コモン端子ｔＣ、表示データ端子ｔＤＤ、操作情報端子ｔＳＳが設けられる。これらはそれぞれ端子部５の同名の端子と接続されることになる。
【００２７】再生装置１からの再生音声信号ＨＰｏｕｔは、ヘッドホン端子ｔＨＰからボリュームつまみ３４に供給される。ボリュームつまみ３４は可変抵抗器とされており、再生音声信号ＨＰｏｕｔは可変抵抗による音量調整が行われた上でヘッドホン１２から音声として出力されることになる。また表示／リモコン部３０には、上述のように電源端子ｔＶ、コモン端子ｔＣによってコントローラ１１から電源電圧が供給される。
【００２８】
プッシュレバースイッチ３２及びメニュースイッチ３２が操作されると、操作信号発生部３６により例えば抵抗分割による異なる電圧値としての操作情報信号ＳＳが発生される。
【００２９】
再生装置１のコントローラ１１には、端子ｔＳＳを介して操作信号発生部３６からの操作情報信号ＳＳが供給されるため、コントローラ１１は、メニュースイッチ３２の操作、プッシュレバースイッチ３１の上押し操作、下押し操作、プッシュ操作を、それぞれ異なる電圧値として認識できる。
（４）「【００５７】
  図１０の操作遷移チャートで、コントローラ１１が識別する操作内容を説明していく。
  まず
動作が停止状態（ＳＴＯＰ）である時は、短プッシュ操作が検出された場合は、コントローラ１１はそれを再生操作と認識し、再生動作を開始させ再生状態（ＰＬＡＹ）とする。
      【００５８】
  また、停止状態（ＳＴＯＰ）において短上押し操作が検出された場合は、コントローラ１１はそれを早送り操作と認識し、早送り動作（ＦＦ）の実行制御を行う。
  また停止状態（ＳＴＯＰ）において長上押し操作が検出された場合は、早送りオート再生操作と認識し、早送りオート再生（ＦＦ  ＡＵＴＯ）の実行制御を行う。早送りオート再生とは、現在の再生面（Ａ面又はＢ面）をテープエンドまで早送りしていき、反対面のテープトップから自動的に再生を開始する動作である。
      【００５９】
  停止状態（ＳＴＯＰ）において短下押し操作が検出された場合は、コントローラ１１はそれを巻き戻し操作と認識し、巻き戻し動作（ＲＥＷ）の実行制御を行う。
  また停止状態（ＳＴＯＰ）において長下押し操作が検出された場合は、巻き戻しオート再生操作と認識し、巻き戻しオート再生（ＲＥＷ  ＡＵＴＯ）の実行制御を行う。巻き戻しオート再生とは、現在の再生面（Ａ面又はＢ面）をテープトップまで巻き戻していき、その面のテープトップから自動的に再生を開始する動作である。
      【００６０】
  停止状態（ＳＴＯＰ）においてメニュースイッチ３２の操作が検出された場合は、コントローラ１１はモード設定のための操作と認識し、ファンクションモード設定動作（ＦＵＮＣＴＩＯＮ  ＭＯＤＥ）に入る。
【００６１】以上のように
コントローラ１１は、停止状態にある場合は、プッシュレバースイッチ３１、メニュースイッチ３２の操作に関して各種操作を判別し、それぞれ指示された動作に必要な動作制御を行う。なお停止状態とは、電源オフのいわゆるスリープ状態とされているため、これらの操作が行われた際には、まず再生装置１の電源オンとする処理も行うことになる。
　
　これらの記載事項によると、引用例１には、
「携帯用のコンパクトカセットプレーヤであって、
　コントローラは、抵抗分割による異なる電圧値としての操作情報信号ＳＳによって携帯用のコンパクトカセットプレーヤの動作内容を判別して動作を制御し、動作の停止状態で、携帯用のコンパクトカセットプレーヤをスリープ状態とし、スリープ状態のコントローラは、操作情報信号ＳＳを受けると、電源オンし、
　スリープ状態で、まず、操作情報信号ＳＳを受けてコントローラに電源供給を開始させ、操作情報信号ＳＳによって動作を行う携帯用のコンパクトカセットプレーヤ」の発明（以下、「引用例１記載の発明」という。）が記載されているものと認められる。
　
４．対比
　引用例１記載の発明における「携帯用のコンパクトカセットプレーヤ」は、メディアとして、コンパクトカセットを再生していることから、本願発明における「メディアを再生するメディア再生装置」に相当する。
　引用例１記載の発明における「コントローラは、抵抗分割による異なる電圧値としての操作情報信号ＳＳによって携帯用のコンパクトカセットプレーヤの動作内容を判別して動作を制御し」において、「抵抗分割による異なる電圧値としての操作情報信号ＳＳ」は、段落番号００２８，００２９の記載から見て、本願発明の「電位信号」に相当し、「操作情報信号ＳＳ」は、電位に対応して再生制御の内容が対応付けされているから、引用例１記載の発明の「コントローラは、抵抗分割による異なる電圧値としての操作情報信号ＳＳによって携帯用のコンパクトカセットプレーヤの動作内容を判別して動作を制御し」は、本願発明における「電位信号の電位に対応する情報とメディアの再生制御の内容とを対応付け」ること、および「前記メディアの再生制御を行う」「制御部」に相当する。
　引用例１記載の発明の「コントローラは、」「携帯用のコンパクトカセットプレーヤをスリープ状態にする」は、本願発明の「メディア再生装置が」「休止状態へ移行する制御部」に相当する。
　引用例１記載の発明の「スリープ状態のコントローラは、操作情報信号ＳＳを受けると電源オンし」において、「スリープ状態のコントローラ」は、本願発明の「前記制御部が前記休止状態にあるとき」に相当し、引用例１記載の発明の「操作情報信号ＳＳを受けると電源オンし」において、「操作情報信号ＳＳ」は、本願発明の「前記電位信号に変化があった場合」の「電位差信号」に相当し、当該「コントローラ」は、「前記休止状態の解除指示する信号」に相当する信号をコントローラ内部で生成し、出力して、ウエイクアップしているものと認められるから、「スリープ状態のコントローラは、操作情報信号ＳＳを受けると、電源オンし、」は、本願発明の「前記制御部が前記休止状態にあるときに、前記電位信号に変化があった場合、前記休止状態の解除を指示する信号を前記制御部へ出力する」に相当する。
　引用例１記載の発明の「スリープ状態で、まず、操作情報信号ＳＳを受けてコントローラに電源供給を開始させ、操作情報信号ＳＳによって動作を行う」は、操作信号ＳＳに対応した動作に先立ってウエイクアップを行うことであり、本願発明の「前記制御部は、前記休止状態にあるときに、前記」「信号を受け動作状態に移行するとともに、続いて、前記変化があったその時の前記電位信号の電位に対応する情報」「に基づいて、再生されるメディアの再生制御のための処理を実行する」に相当する。
　
　してみると、両発明の一致点、相違点は以下のとおりである。
　
［一致点］
「メディアを再生するメディア再生装置であって、
　電位信号の電位に対応する情報とメディアの再生制御の内容とを対応付け、
　前記メディアの再生制御を行うとともに、当該メディア再生装置が休止状態へ移行する制御部と、
　前記制御部が前記休止状態にあるときに、前記電位信号に変化があった場合、前記休止状態の解除を指示する信号を前記制御部へ出力し、　
　前記制御部は、前記休止状態にあるときに、前記信号を受け動作状態に移行するとともに、続いて、前記変化があったその時の前記電位信号の電位に対応する情報に基づいて、再生されるメディアの再生制御のための処理を実行する、　
　メディア再生装置。」
［相違点］
（α）本願発明が、「管理テーブル情報を記憶する記憶手段」の「管理テーブル」を用いて、「前記変化があったその時の前記電位信号の電位に対応する情報と、前記記憶手段に記憶された前記管理テーブル情報とを比較」しているのに対して、引用例１記載の発明の「コントローラ」には、特に、管理テーブルを記憶する記憶手段を有していること、管理テーブルを用いて比較を行っていることの記載がない点。
（β）本願発明の「制御部」は、「一定時間操作されない状態で休止状態へ移行する」のに対して、引用例１記載の発明の「コントローラ」は、「動作の停止状態で、携帯用のコンパクトカセットプレーヤをスリープ状態」にしている点。
（γ）本願発明では、「コンパレータ」が「前記制御部が前記休止状態にあるときに、前記電位信号に変化があった場合、前記休止状態の解除を指示する信号を前記制御部へ出力し」ているのに対して、引用例１記載の発明では、「コンパレータ」を有しておらす、「コントローラ」が内部で「休止状態の解除を指示する信号」を生成し、「コントローラ」へ出力している点。
　
５．当審の判断
（α）の相違点について
　引用例１記載の発明においても、電位信号を何らかの手法を用いて、動作の内容に変換していることは記載されており、管理テーブルを記憶しておくこと、電位信号を管理テーブルで比較し、動作を行うことは、特開平１０-１１２８８８号公報（段落番号００３５〜００３６）及び特開平１０-１１２８９１号公報（段落番号００５２〜００５３）に記載されているように周知事項であり、当該周知事項を電位信号の変換手法として採用し、相違点（α）の構成とすることは当業者が容易になし得ることである。
（β）の相違点について
　本願発明のように、「一定時間操作されない状態で休止状態へ移行する」構成は、例えば、特開２００２−９４６５８号公報の段落番号００３０〜００３８，特開２００２−９４６５８号公報の段落番号００３２〜００３５，特開２００４−２１９６７９号公報の段落番号００４５〜００４６に見られるように周知事項であり、当該周知事項を引用例１記載の発明に適用し相違点（β）の構成とすることは、当業者が容易になし得ることである。
（γ）の相違点について
　引用例１記載の発明において、「コントローラ」は、「操作情報信号ＳＳ」を直接受けてウエイクアップする構成であり、当該「コントローラ」が、「休止状態の解除指示する信号」を内部で生成し、出力していると認められるから、引用例１記載の発明の「コントローラ」は、本願発明の「コンパレータ」に相当する構成を内在している。
　また、本願の図７から見て、「コンパレータ」は、単に、複数の電圧値のリモコン制御信号を一定電位のマイコン制御信号へ変換するだけのものであり、「コンパレータ」を設けることは本願発明の「制御部」がマイコン制御信号のレベル以外を認識できない、即ち、「制御部」が「コンパレータ」相当の機能を内在していないことに伴う設計事項と認められるから、「コンパレータ」を備えることは、制御部の構成に応じて適宜なし得る事項である。
　
　審判請求人は、「引用文献１は、操作情報信号ＳＳの電位差が十分に大きくないため、コントローラ１１の入力電圧仕様を満足せず、スリープ状態を解除できない状況を回避する技術、すなわち、操作情報信号ＳＳの電位差の大小に関わらず、コントローラ１１の入力電圧仕様を満足する操作情報信号ＳＳを生成するコンパレータについては、開示も示唆もしておりません。これは、引用文献３から７についても同様であります。
（ｃ）　上記構成上の差異により、補正後請求項１などにそれぞれ記載された発明は、制御処理を実行する制御部が「スリープ状態であっても、直ちに操作に基づいた処理を行う」ことができる（段落０００７）という引用文献１から４に記載の発明の組み合わせによっては得られない効果を奏します。」と平成２３年６月２７日付け意見書で主張しているが、「スリープ状態であっても、直ちに操作に基づいた処理を行う」ことは、引用例１の段落番号００６１、特開２００２−９４６５８号公報の段落番号００６７に記載されおり、周知事項といえることから、審判請求人の主張は採用できない。
　
　そして、上記相違点についての判断を総合しても本願発明の奏する効果は、各刊行物及び周知事項から当業者が十分予測可能なもので格別のものではない。
　
６．むすび
　したがって、本願発明は引用例１記載の発明及び周知事項に基づいて当業者が容易に発明をすることができたものであるから、特許法第２９条第２項の規定により特許を受けることができない。
　したがって、本願は、その他の請求項について論及するまでもなく、拒絶すべきものである。
　
　よって、結論のとおり審決する。